(57)【要約】【課題】登録情報のセキュリティを確保しつつ、ユーザに対して必要な登録情報を表示させる柔軟な制御が可能な情報処理装置、電子文書の表示方法及びプログラムを提供する。【解決手段】複数の項目及び対応する登録情報を含む電子文書を、複数の項目の各々についての表示制限設定に従って登録情報に表示制限をかけて表示させる表示制御手段と、表示制限がかけられている登録情報の表示を要求する所定の入力操作がなされた場合に、登録情報の項目に対応する表示制限の解除条件が満たされているか否かを判別する判別手段と、解除条件が満たされていると判別された場合に、上記項目についての表示制限が解除されるように表示制限設定を変更する設定変更手段と、を備え、表示制御手段は、設定変更手段により表示制限設定が変更された場合に、当該変更された表示制限設定に基づいて電子文書の表示を更新することを特徴とする。【選択図】図２８
2018205787.tif 000002
【特許請求の範囲】
【請求項１】
所定の複数の項目及び当該複数の項目の各々に対応する登録情報を含む電子文書を、当該複数の項目の各々についての表示制限設定に従って登録情報に表示制限をかけて表示させる表示制御手段と、
前記表示制限がかけられているいずれかの登録情報の表示を要求する所定の入力操作がなされた場合に、前記登録情報の項目に対応付けられて予め定められている表示制限の解除条件が満たされているか否かを判別する判別手段と、
前記判別手段により前記項目についての前記解除条件が満たされていると判別された場合に、前記項目についての前記表示制限が解除されるように前記表示制限設定を変更する設定変更手段と、
を備え、
前記表示制御手段は、前記設定変更手段により前記表示制限設定が変更された場合に、当該変更された表示制限設定に基づいて前記電子文書の表示を更新することを特徴とする情報処理装置。
【請求項２】
前記複数の項目の各々は、複数のランクのいずれかに割り当てられ、
前記複数の項目の各々に対応する前記解除条件は、当該項目が割り当てられているランクごとに異なる
ことを特徴とする請求項１に記載の情報処理装置。
【請求項３】
前記表示制御手段は、前記項目のランクが判別可能な態様で前記電子文書を表示させることを特徴とする請求項２に記載の情報処理装置。
【請求項４】
前記表示制限がかけられているいずれかの登録情報の表示を要求する所定の入力操作がなされた場合に、前記登録情報の項目に対応付けられて予め定められている解除操作の入力をユーザに促す報知を行わせる報知制御手段を備え、
前記判別手段は、前記報知に応じて行われた入力操作が、前記予め定められている解除操作と一致した場合に、前記項目についての前記解除条件が満たされていると判別することを特徴とする請求項１から３のいずれか一項に記載の情報処理装置。
【請求項５】
前記表示制限がかけられているいずれかの登録情報の表示を要求する所定の入力操作がなされた場合に、前記登録情報の項目に対応付けられて予め定められている解除操作の入力をユーザに促す報知を行わせる報知制御手段を備え、
前記判別手段は、前記報知に応じて行われた入力操作が、前記予め定められている解除操作と一致した場合に、前記項目についての前記解除条件が満たされていると判別し、
前記設定変更手段は、一の前記項目についての前記解除条件が満たされていると判別されている場合において、当該一の項目と同一のランクに割り当てられている他の項目の登録情報の表示を要求する所定の入力操作がなされた場合には、前記判別手段による判別結果によらずに、前記他の項目についての表示制限が解除されるように前記表示制限設定を変更することを特徴とする請求項２又は３に記載の情報処理装置。
【請求項６】
前記報知制御手段は、前記他の項目の登録情報の表示を要求する所定の入力操作がなされた場合に、前記解除操作の入力の省略に係る報知を行わせることを特徴とする請求項５に記載の情報処理装置。
【請求項７】
前記複数のランクには、低位のランクほど充足容易性が高い前記解除条件が対応付けられて定められており、
当該情報処理装置は、前記報知に応じて行われた入力操作が、前記予め定められている解除操作と異なる場合に、前記項目が割り当てられているランクを、当該ランクより高いランクに変更するランク調整手段を備えることを特徴とする請求項５又は６に記載の情報処理装置。
【請求項８】
前記複数のランクには、低位のランクほど充足容易性が高い前記解除条件が対応付けられて定められており、
当該情報処理装置は、
ユーザの信頼度に係る信頼度情報を取得する信頼度情報取得手段と、
前記信頼度情報取得手段により取得された前記信頼度情報に基づいて、前記複数の項目の各々が割り当てられているランクを、前記信頼度が低いほどランクが高くなるように調整するランク調整手段と、
を備えることを特徴とする請求項２，３，５又は６に記載の情報処理装置。
【請求項９】
所定の複数の項目及び当該複数の項目の各々に対応する登録情報を含む電子文書を、当該複数の項目の各々についての表示制限設定に従って登録情報に表示制限をかけて表示させる表示ステップ、
前記表示制限がかけられているいずれかの登録情報の表示を要求する所定の入力操作がなされた場合に、前記登録情報の項目に対応付けられて予め定められている表示制限の解除条件が満たされているか否かを判別する判別ステップ、
前記判別ステップにおいて前記項目についての前記解除条件が満たされていると判別された場合に、前記項目についての前記表示制限が解除されるように前記表示制限設定を変更する設定変更ステップ、
を含み、
前記表示ステップでは、前記設定変更ステップにおいて前記表示制限設定が変更された場合に、当該変更された表示制限設定に基づいて前記電子文書の表示を更新することを特徴とする電子文書の表示方法。
【請求項１０】
情報処理装置のコンピュータを、
所定の複数の項目及び当該複数の項目の各々に対応する登録情報を含む電子文書を、当該複数の項目の各々についての表示制限設定に従って登録情報に表示制限をかけて表示させる表示制御手段、
前記表示制限がかけられているいずれかの登録情報の表示を要求する所定の入力操作がなされた場合に、前記登録情報の項目に対応付けられて予め定められている表示制限の解除条件が満たされているか否かを判別する判別手段、
前記判別手段により前記項目についての前記解除条件が満たされていると判別された場合に、前記項目についての前記表示制限が解除されるように前記表示制限設定を変更する設定変更手段、
として機能させ、
前記表示制御手段は、前記設定変更手段により前記表示制限設定が変更された場合に、当該変更された表示制限設定に基づいて前記電子文書の表示を更新することを特徴とするプログラム。
【発明の詳細な説明】
【技術分野】
【０００１】
本発明は、情報処理装置、電子文書の表示方法及びプログラムに関する。
【背景技術】
【０００２】
従来、データベースにおける登録情報の一部を電子帳票等の電子文書として表示させることができる情報処理装置がある。このような情報処理装置の例としては、従業員に関する各種データの登録、編集、及び電子文書としての表示や印刷などが可能な人事情報管理システムを提供するサーバ装置が挙げられる。
【０００３】
この種の情報処理装置では、機密性の高い情報が取り扱われる場合が多い。このため、電子文書の表示といった登録情報に係る各種処理を行う場合に、ユーザからの認証情報の入力を求め、認証情報が適正である場合にのみ電子文書を表示させる技術がある（例えば、特許文献１）。
【先行技術文献】
【特許文献】
【０００４】
【特許文献１】特開２００５−３４６３９８号公報
【発明の概要】
【発明が解決しようとする課題】
【０００５】
しかしながら、電子文書には、通常、二以上の項目が含まれるところ、上記従来の技術では、当該二以上の項目に係る登録情報の全体を表示させる制御、又は全体を表示させない制御のいずれかしか行うことができない。すなわち、登録情報のセキュリティを確保しつつ、ユーザに対して必要な項目についての登録情報を表示させる柔軟な制御を行うことができないという課題がある。
【０００６】
この発明の目的は、登録情報のセキュリティを確保しつつ、ユーザに対して必要な登録情報を表示させる柔軟な制御が可能な情報処理装置、電子文書の表示方法及びプログラムを提供することにある。
【課題を解決するための手段】
【０００７】
上記課題を解決するため、本発明の情報処理装置は、
所定の複数の項目及び当該複数の項目の各々に対応する登録情報を含む電子文書を、当該複数の項目の各々についての表示制限設定に従って登録情報に表示制限をかけて表示させる表示制御手段と、
前記表示制限がかけられているいずれかの登録情報の表示を要求する所定の入力操作がなされた場合に、前記登録情報の項目に対応付けられて予め定められている表示制限の解除条件が満たされているか否かを判別する判別手段と、
前記判別手段により前記項目についての前記解除条件が満たされていると判別された場合に、前記項目についての前記表示制限が解除されるように前記表示制限設定を変更する設定変更手段と、
を備え、
前記表示制御手段は、前記設定変更手段により前記表示制限設定が変更された場合に、当該変更された表示制限設定に基づいて前記電子文書の表示を更新することを特徴とする。
【発明の効果】
【０００８】
本発明によれば、登録情報のセキュリティを確保しつつ、ユーザに対して必要な登録情報を表示させる柔軟な制御が可能となるという効果がある。
【図面の簡単な説明】
【０００９】
【図１】情報処理システムの概略構成を示す図である。
【図２】人事情報管理サーバの機能的構成を示すブロック図である。
【図３】業務情報管理サーバの機能的構成を示すブロック図である。
【図４】端末装置の機能的構成を示すブロック図である。
【図５】人事情報管理システム及び業務情報管理システムにおけるログイン方法を説明する模式図である。
【図６】業務情報管理システムへのログインを行うためのログイン画面を示す図である。
【図７】業務情報管理メニュー画面を示す図である。
【図８】業務情報管理システムを経由して人事情報管理システムにログインした場合の初期画面（申請状況一覧画面）を示す図である。
【図９】人事情報管理システムの利用申請画面を示す図である。
【図１０】利用申請後の申請状況一覧画面を示す図である。
【図１１】利用申請が承認された場合に送信される電子メールの内容例を示す図である。
【図１２】利用申請の承認がなされた状態における申請状況一覧画面を示す図である。
【図１３】人事情報管理システムのメニュー画面を示す図である。
【図１４】電子帳票が表示されている帳票閲覧画面を示す図である。
【図１５】初期設定テーブル及び表示制限設定テーブルの内容例を示す図である。
【図１６】解除区分テーブルの内容例を示す図である。
【図１７】ランク１の項目についての解除操作を説明する図である。
【図１８】ランクの一部が変更された状態の表示制限設定テーブルを示す図である。
【図１９】表示制限の一部が解除された状態の帳票閲覧画面を示す図である。
【図２０】ランク２の項目についての解除操作を説明する図である。
【図２１】ランク３の項目についての解除操作を説明する図である。
【図２２】ワンタイムパスワードが記載された電子メールの内容例を示す図である。
【図２３】人事情報管理システムへの第１のログイン方法でのログインを行うためのログイン画面を示す図である。
【図２４】第１のログイン方法で人事情報管理システムにログインした場合の人事情報管理メニュー画面を示す図である。
【図２５】申請状況一覧画面を示す図である。
【図２６】承認画面を示す図である。
【図２７】システム基本処理の制御手順を示すフローチャートである。
【図２８】電子帳票表示処理の制御手順を示すフローチャートである。
【発明を実施するための形態】
【００１０】
以下、本発明の情報処理装置、電子文書の表示方法及びプログラムに係る実施の形態を図面に基づいて説明する。
【００１１】
＜情報処理システムの構成＞
先ず、情報処理システム１００の概略構成について、図１を参照して説明する。
図１は、情報処理システム１００の概略構成を示す図である。
図１に示すように、本実施形態の情報処理システム１００は、人事情報管理サーバ１（情報処理装置）と、業務情報管理サーバ２と、複数の端末装置３とを備えている。また、人事情報管理サーバ１と、業務情報管理サーバ２と、端末装置３とは、通信ネットワーク４を介して情報通信可能に接続されている。
【００１２】
人事情報管理サーバ１は、従業員等の人事情報を管理するための人事情報管理システムのクラウドサービスをユーザに提供し、業務情報管理サーバ２は、各種業務に係る情報（例えば、健康保険組合に係る業務の情報）を管理するための業務情報管理システムのクラウドサービスをユーザに提供する。人事情報管理システム及び業務情報管理システムには、それぞれ別個の認証情報による認証に成功した場合にアクセスすることができる。したがって、人事情報管理システムの認証情報では業務情報管理システムにログインすることはできず、また、業務情報管理システムの認証情報では人事情報管理システムにログインすることはできないようになっている。ただし、業務情報管理システムにログインしたユーザは、人事情報管理システムの認証情報を保有していなくても、人事情報管理システムの一部の機能を利用することができるようになっている。反対に、人事情報管理システムにログインしたユーザは、業務情報管理システムの認証情報を保有していなくても、業務情報管理システムの一部の機能を利用することができるようになっている。即ち、人事情報管理システムと業務情報管理システムは、各々のシステムの機能を相互利用可能な関係にある。なお、本実施の形態では、簡単のため、業務情報管理システムにログインしたユーザが、人事情報管理システムの機能を利用する際に必要な構成を説明しているが、実際には、上述した相互利用を可能にするための構成を、人事情報管理サーバ１と業務情報管理サーバ２が夫々有しているものとする。このように各々のシステムの機能の相互利用を行う場合の動作については、後に詳述する。
【００１３】
人事情報管理サーバ１は、人事情報に係る人事情報ＤＢ（データベース）を記憶し、管理する。また、人事情報管理サーバ１は、種々のプログラムを実行することで、人事情報ＤＢに関する各種データ処理（例えば、人事情報のデータの登録、編集、電子文書（例えば、電子帳票や電子台帳）としての表示や印刷などに係る機能を実現するための処理）を行う。
【００１４】
業務情報管理サーバ２は、業務情報ＤＢを記憶し、管理する。また、業務情報管理サーバ２は、種々のプログラムを実行することで、業務情報ＤＢに関する各種データ処理（例えば、業務情報のデータの登録、編集、電子帳票としての表示や印刷などに係る機能を実現するための処理）を行う。
【００１５】
端末装置３は、例えば、人事情報管理システムや業務情報管理システムのユーザが所持する端末装置である。この端末装置３としては、例えば、スマートフォン、タブレットＰＣ（Personal Computer）、携帯電話機、ＰＤＡ（Personal Digital Assistant）、ノートＰＣ、デスクトップＰＣ等が挙げられる。
また、端末装置３は、ユーザの入力操作を受け付けて人事情報管理サーバ１や業務情報管理サーバ２に送信し、各サーバから送信されて受信した情報を表示する。
【００１６】
通信ネットワーク４は、例えば、インターネットであるものとするが、ＬＡＮ（Local Area Network）等、他のネットワークとしてもよい。
【００１７】
図２は、人事情報管理サーバ１の機能的構成を示すブロック図である。
図２に示すように、人事情報管理サーバ１は、ＣＰＵ１１（Central Processing Unit）（表示制御手段、判別手段、設定変更手段、報知制御手段、ランク調整手段、信頼度情報取得手段）と、ＲＡＭ１２（Random Access Memory）と、記憶部１３と、操作部１４と、表示部１５と、通信部１６とを備えている。また、人事情報管理サーバ１の各部は、バス１７を介して接続されている。
【００１８】
ＣＰＵ１１は、人事情報管理サーバ１の各部を制御する。ＣＰＵ１１は、記憶部１３に記憶されているシステムプログラム及びアプリケーションプログラムのうち、指定されたプログラムを読み出し、ＲＡＭ１２のワークエリアに展開し、当該プログラムに従って各種処理を実行する。
【００１９】
ＲＡＭ１２は、例えば、揮発性のメモリであり、ＣＰＵ１１により読み出された各種のプログラムやデータを一時的に格納するワークエリアを有する。
【００２０】
記憶部１３は、例えば、ＨＤＤ（Hard Disk Drive）、ＳＳＤ（Solid State Drive）等により構成され、データ及びプログラムを書き込み及び読み出し可能な記憶部である。また、記憶部１３は、プログラム１３ａ、アカウントＤＢ１３ｂ、人事情報ＤＢ１３ｃ、初期設定テーブル１３ｄ、表示制限設定テーブル１３ｅ、解除区分テーブル１３ｆなどを記憶している。
【００２１】
プログラム１３ａは、ＣＰＵ１１により実行される上述の各種システムプログラム及びアプリケーションプログラムを含む。
アカウントＤＢ１３ｂは、人事情報管理システムのユーザのアカウント（以下では、人事アカウントとも記す）に係る情報が登録されている。ここで、アカウントに係る情報には、アカウントごとに固有のＩＤ、メールアドレス及びパスワードが含まれる。本実施形態では、ＩＤ又はメールアドレスと、パスワードとの組み合わせにより認証情報が構成される。
人事情報ＤＢ１３ｃは、人事情報管理システムにおける管理対象の人事情報が登録されたデータベースである。
初期設定テーブル１３ｄ、表示制限設定テーブル１３ｅ及び解除区分テーブル１３ｆは、人事情報ＤＢ１３ｃのデータを電子帳票として表示させる場合に、電子帳票の項目の表示制限に用いられるテーブルデータであり、詳細については後述する。
【００２２】
操作部１４は、例えば、キーボード等のキー入力部と、マウス等のポインティングデバイスとを有している。また、操作部１４は、キー入力及び位置入力を受け付け、その操作情報をＣＰＵ１１に出力する。
【００２３】
表示部１５は、例えば、ＬＣＤ（Liquid Crystal Display）や有機ＥＬ（Electro-Luminescence）ディスプレイ等から構成されている。また、表示部１５には、ＣＰＵ１１から入力される表示信号の指示に従って、各種画面を表示する。
【００２４】
通信部１６は、例えば、ネットワークカード等により構成されている。また、通信部１６は、通信ネットワーク４に通信接続されて、通信ネットワーク４上の機器（例えば、端末装置３等）との通信を行う。
【００２５】
図３は、業務情報管理サーバ２の機能的構成を示すブロック図である。
図３に示すように、業務情報管理サーバ２は、ＣＰＵ２１と、ＲＡＭ２２と、記憶部２３と、操作部２４と、表示部２５と、通信部２６とを備えている。また、業務情報管理サーバ２の各部は、バス２７を介して接続されている。
【００２６】
ＣＰＵ２１は、業務情報管理サーバ２の各部を制御する。ＣＰＵ２１は、記憶部２３に記憶されているシステムプログラム及びアプリケーションプログラムのうち、指定されたプログラムを読み出し、ＲＡＭ２２のワークエリアに展開し、当該プログラムに従って各種処理を実行する。
【００２７】
ＲＡＭ２２は、例えば、揮発性のメモリであり、ＣＰＵ２１により読み出された各種のプログラムやデータを一時的に格納するワークエリアを有する。
【００２８】
記憶部２３は、例えば、ＨＤＤ、ＳＳＤ等により構成され、データ及びプログラムを書き込み及び読み出し可能な記憶部である。また、記憶部２３は、プログラム２３ａ、アカウントＤＢ２３ｂ、業務情報ＤＢ２３ｃなどを記憶している。
【００２９】
プログラム２３ａは、ＣＰＵ２１により実行される上述の各種システムプログラム及びアプリケーションプログラムを含む。
アカウントＤＢ２３ｂは、業務情報管理システムのユーザのアカウント（以下では、業務アカウントとも記す）に係る情報が登録されている。ここで、アカウントに係る情報には、アカウントごとに固有のＩＤ、メールアドレス及びパスワードが含まれる。
業務情報ＤＢ２３ｃは、業務情報管理システムにおける管理対象の業務情報が登録されたデータベースである。
操作部２４、表示部２５及び通信部２６の構成は、人事情報管理サーバ１の操作部１４、表示部１５及び通信部１６の構成と同様であるので詳細な説明は省略する。
【００３０】
図４は、端末装置３の機能的構成を示すブロック図である。
図４に示すように、端末装置３は、ＣＰＵ３１と、ＲＡＭ３２と、記憶部３３と、操作部３４と、表示部３５と、通信部３６とを備えている。また、端末装置３の各部は、バス３７を介して接続されている。
【００３１】
ＣＰＵ３１は、端末装置３の各部を制御する。ＣＰＵ３１は、記憶部３３に記憶されているシステムプログラム及びアプリケーションプログラムのうち、指定されたプログラムを読み出し、ＲＡＭ３２のワークエリアに展開し、当該プログラムに従って各種処理を実行する。その際に、ＣＰＵ３１は、ＲＡＭ３２内に各種処理結果を格納させ、必要に応じてその処理結果を表示部３５に表示させる。
【００３２】
ＲＡＭ３２は、例えば、揮発性のメモリであり、ＣＰＵ３１により読み出された各種のプログラムやデータを一時的に格納するワークエリアを有する。
【００３３】
記憶部３３は、例えば、ＨＤＤ、ＳＳＤ等により構成され、データ及びプログラムを書き込み及び読み出し可能な記憶部である。また、記憶部３３は、プログラム３３ａを記憶している。プログラム３３ａは、ＣＰＵ３１により実行される上述の各種システムプログラム及びアプリケーションプログラムを含む。このアプリケーションプログラムとしては、例えば、ユーザの入力操作を受け付け、当該入力操作に基づく情報を人事情報管理サーバ１や業務情報管理サーバ２に送信し、各サーバから送信されて受信した情報を表示部３５に表示する機能を実現させる情報表示入力プログラム（所謂ウェブブラウザ）が含まれる。
【００３４】
操作部３４、表示部３５及び通信部３６の構成は、人事情報管理サーバ１の操作部１４、表示部１５及び通信部１６の構成と同様であるので詳細な説明は省略する。
【００３５】
＜人事情報管理システム及び業務情報管理システムへのログイン方法＞
次に、人事情報管理システム及び業務情報管理システムにログインする方法について説明する。
図５は、人事情報管理システム及び業務情報管理システムにおけるログイン方法を説明する模式図である。
本実施形態の情報処理システム１００では、図５の左側に示されるように、人事アカウント１ａを用いて人事情報管理サーバ１による人事情報管理システムにログインすることができる。具体的には、端末装置３において入力され人事情報管理サーバ１に送信された認証情報が、アカウントＤＢ１３ｂに登録されているいずれかの人事アカウント１ａの認証情報と一致すると判別された場合に、人事情報管理システムへのログイン処理が行われてログインセッションが開始される。以下では、このような人事情報管理システムへのログイン方法を第１のログイン方法とも記す。
また、図５の右側に示されるように、業務アカウント２ａを用いて業務情報管理サーバ２による業務情報管理システムにログインすることができる。具体的には、端末装置３において入力され業務情報管理サーバ２に送信された認証情報が、アカウントＤＢ２３ｂに登録されているいずれかの業務アカウント２ａの認証情報と一致すると判別された場合に、業務情報管理システムへのログイン処理が行われてログインセッションが開始される。
【００３６】
人事情報管理システムにログインできる人事アカウント１ａは、人事情報管理サーバ１のアカウントＤＢ１３ｂで管理され、業務情報管理システムにログインできる業務アカウント２ａは、業務情報管理サーバ２のアカウントＤＢ２３ｂで管理されている。このため、業務情報管理システムへのログインが可能な認証情報で人事情報管理システムにログインすることはできないようになっている。
しかしながら、業務情報管理システムでの作業に人事情報管理システムの情報が必要である場合など、業務情報管理システムの業務アカウント２ａを保有しているユーザ（以下、業務情報管理システムユーザと記す）に対して、人事情報管理システムへのアクセスを許可したい場合がある。このような場合に、業務情報管理システムユーザに対して人事情報管理システムの人事アカウント１ａを別個に発行すると、アカウント数の増大を招いてアカウントの管理負荷が大きくなるという問題がある。また、このような方法では、業務情報管理システムユーザに対して人事情報管理システムにおける人事情報の開示範囲をコントロールしたいといった要求に対応できないという問題がある。
【００３７】
そこで、本実施形態の情報処理システム１００では、業務情報管理システムに業務アカウント２ａでログインした後、業務情報管理システム上で所定の操作を行うことで業務情報管理システムを経由して人事情報管理システムにログインすることができるようにし、業務情報管理システムを経由したログインでは、人事情報の閲覧のためにさらに別個の認証が要求されるようになっている。これにより、人事情報管理システムのアカウント数の増大を抑制しつつ、業務情報管理システムユーザに対する人事情報の開示をコントロールすることができる。以下では、業務情報管理システムを経由して人事情報管理システムへログインする方法を、第２のログイン方法とも記す。ここで、図５に示されるように、第２のログイン方法による人事情報管理システムへのログインでは、当該第２のログイン方法においてのみ使用可能な専用アカウント１ｂが用いられる。また、以下では業務情報管理システムに業務アカウント２ａでログインする方法を、第３のログイン方法とも記す。
【００３８】
以下、人事情報管理システムへの第２のログイン方法について詳細に説明する。
図６は、業務情報管理システムへのログインを行うためのログイン画面４１を示す図である。
ログイン画面４１は、端末装置３においてブラウザのプログラムが実行され、業務情報管理サーバ２による業務情報管理システムへのログインを行うための所定のウェブサイトにアクセスした場合に表示部３５に表示される画面である。ログイン画面４１では、ログインに使用する業務アカウント２ａのＩＤ又はメールアドレスを入力するテキストボックスＡ１と、パスワードを入力するテキストボックスＡ２と、ログインボタンＢ１とが表示される。
【００３９】
端末装置３の操作部３４に対する入力操作により、テキストボックスＡ１にＩＤ又はメールアドレスが入力され、テキストボックスＡ２にパスワードが入力され、この状態でログインボタンＢ１を選択する入力操作が行われると、入力された認証情報が業務情報管理サーバ２に送信されて、アカウントＤＢ２３ｂに記憶された認証情報と照合される。入力された認証情報が、登録されているいずれかの業務アカウント２ａの認証情報と一致した場合（認証情報が適正であると判別された場合）には、業務情報管理サーバ２のＣＰＵ２１により、当該業務アカウント２ａでの業務情報管理システムへのログイン処理が行われてログインセッションが開始される（第３のログイン方法）。
【００４０】
図７は、業務情報管理システムにログインした場合の業務情報管理メニュー画面４２を示す図である。
この業務情報管理メニュー画面４２（業務情報管理システムのトップ画面）では、業務情報管理に係る各種機能を実行させるためのメニューボタンＢ２と、人事情報管理システムへの第２のログイン方法でのログインを行うためのログインボタンＢ３と、業務情報管理システムからログアウトするためのログアウトボタンＢ４とが表示されている。
【００４１】
業務情報管理メニュー画面４２において、ログインボタンＢ３を選択する入力操作が行われると、第２のログイン方法での人事情報管理システムへのログインが行われる。
この第２のログイン方法でのログインでは、人事情報管理システム側では、業務情報管理システムを経由した場合に用いられる上述の専用アカウント１ｂ（以下では、この専用アカウント１ｂの名称を「ｕｓｅｒ０１」とする）でのログイン処理が行われる。
【００４２】
図８は、業務情報管理システムを経由して人事情報管理システムにログインした場合の初期画面を示す図である。
この初期画面は、第２のログイン方法でログインした業務情報管理システムユーザによる、人事情報管理システムでの人事情報の利用申請状況を一覧表示する申請状況一覧画面５１である。ただし、この段階では、未だ利用申請がなされていないため、申請状況に係る表示は行われておらず、人事情報管理システムでの人事情報の利用を申請するための申請ボタンＢ５、及び人事情報管理システムからログアウトするためのログアウトボタンＢ６のみが表示されている。業務情報管理システムユーザは、申請ボタンＢ５を選択する入力操作を行うことで、人事情報管理システムの利用申請のための利用申請画面を表示させることができる。
【００４３】
図９は、人事情報管理システムの利用申請画面５２を示す図である。
利用申請画面５２では、申請者名を入力するテキストボックスＡ３、申請者のメールアドレスを入力するテキストボックスＡ４、申請者の社員番号を入力するテキストボックスＡ５、利用目的区分を選択するテキストボックス（又はプルダウンメニュー）Ａ６、利用目的を入力するテキストボックスＡ７、利用開始日時を入力するテキストボックスＡ８、利用終了日時を入力するテキストボックスＡ９、申請状況一覧画面５１に戻るための戻るボタンＢ７、及びテキストボックスＡ３〜Ａ９に入力された内容にて利用申請を実行するための申請ボタンＢ８が表示されている。
業務情報管理システムユーザは、テキストボックスＡ３〜Ａ９に必要事項を入力した上で申請ボタンＢ８を選択する入力操作を行うことで、人事情報管理システムの利用申請を行うことができる。
【００４４】
申請ボタンＢ８を選択して利用申請を行うと、申請状況一覧画面５１が図１０のように更新されて表示部３５に表示される。図１０の申請状況一覧画面５１では、申請済みの利用申請ごとに、「申請Ｎｏ．」、「ログインアカウント」、「利用目的区分」、「利用日時（開始及び終了）」、「ステータス」などが表示される。このうち「ステータス」は、人事情報管理システムの管理者による申請の承認状況を示している。
【００４５】
他方で、利用申請画面５２による利用申請がなされると、テキストボックスＡ３〜Ａ９における入力内容が、人事情報管理システムの所定の管理者に通知される。この通知に応じて、管理者により利用申請を承認するための所定の承認処理がなされると、利用申請の内容に応じた範囲で人事情報管理システムの利用が可能となる。また、利用申請画面５２において入力された申請者のメールアドレス宛に、利用申請が承認されたことを示すメールが送信される。ここで、管理者は、人事情報管理システムの運用を管理する専任者であってもよいし、人事情報管理システムにログインしているユーザが利用申請を承認できるようにして、当該ユーザを管理者としてもよい。また、管理者への利用申請の通知は、人事情報管理システム上で行われてもよいし、電子メール等の別システムにより行われてもよい。人事情報管理システムの管理者側の操作画面については、後に説明する。
【００４６】
図１１は、管理者により利用申請が承認された場合に業務情報管理システムユーザのメールアドレス宛に送信される電子メールの内容例を示す図である。この電子メールでは、利用申請が承認されたことの通知に加え、後述する表示制限を解除するための申請時発行パスワードが記載されている。
【００４７】
管理者により利用申請が承認された場合には、申請状況一覧画面５１が、図１２のように更新される。図１２の申請状況一覧画面５１では、承認された利用申請の行において、ステータスが「承認済」に更新されている。業務情報管理システムユーザは、申請状況一覧画面５１において、承認された利用申請の行を選択する入力操作を行うことで、人事情報管理システムの機能を利用するための人事情報管理メニュー画面を表示させることができる。
【００４８】
図１３は、人事情報管理システムの人事情報管理メニュー画面５３を示す図である。図１３の人事情報管理メニュー画面５３では、人事情報管理システムの各種機能を実行させるためのメニューボタンＢ９と、申請状況一覧画面５１に戻るための戻るボタンＢ１０と、人事情報管理システムからログアウトするためのログアウトボタンＢ１１が表示されている。メニューボタンＢ９は、利用申請の内容に応じて実行可能な機能に係るもののみが表示されてもよいし、全ての機能に係るメニューボタンＢ９を表示させ、利用申請の内容に応じて実行可能な機能に係るメニューボタンＢ９のみが選択可能な状態で表示されてもよい。
【００４９】
図１３の人事情報管理メニュー画面５３では、メニューボタンＢ９を選択する入力操作を行うことで、例えば、社員台帳、賃金台帳、給与台帳などの登録、印刷、照会といった人事情報管理システムの各種機能を実行させることができる。これらの機能では、社員、賃金台帳、給与台帳などの人事情報が、電子帳票として表示される。ここで、電子帳票は、電子文書の一態様であり、所定の複数の項目と、当該複数の項目にそれぞれ対応付けられて登録された登録情報とが、所定のレイアウトで配置された帳簿、伝票などの文書をいう。
【００５０】
＜人事情報管理システムにおける電子帳票の表示制限及びその解除方法＞
本実施形態の人事情報管理システムでは、第２のログイン方法でログインがなされた場合には、電子帳票の表示において、項目ごとに表示制限をかけることができる。表示制限がかけられている項目の登録情報については、表示制限を解除する所定の解除操作を行うことで表示制限を解除して閲覧することができるようになっている。以下では、人事情報管理システムにおける電子帳票の項目の表示制限及びその解除方法について説明する。
【００５１】
図１４は、電子帳票Ｆが表示されている帳票閲覧画面５４を示す図である。
図１４の帳票閲覧画面５４は、図１３の人事情報管理メニュー画面５３において、「社員台帳照会」のメニューボタンＢ９が選択された後に、特定の社員を選択する入力操作が行われた場合に端末装置３の表示部３５に表示される画面であり、選択された社員の社員台帳に係る電子帳票Ｆが表示されている。この帳票閲覧画面５４の電子帳票Ｆでは、「氏名」、「生年月日」、「住所」、「家族」、「懲罰」、「病歴」、「個人番号」及び「カード番号」の項目Ｃ（項目Ｃ０〜Ｃ３）ごとに、項目Ｃに対応付けられて登録されている登録情報Ｄ（登録情報Ｄ０〜Ｄ３）が表示されている。また、帳票閲覧画面５４では、電子帳票Ｆの表示を中止するための戻るボタンＢ１２が表示されている。
【００５２】
ここで、各項目Ｃは、機密性の高さに係る複数のランク０〜ランク３のいずれかに割り当てられている。このうち、最も機密性の低いランクがランク０であり、最も機密性の高いランクがランク３である。図１４の電子帳票Ｆの各項目Ｃのうち、「氏名」、「生年月日」及び「住所」の項目Ｃ０はランク０に割り当てられ、「家族」及び「懲罰」の項目Ｃ１はランク１に割り当てられ、「病歴」の項目Ｃ２はランク２に割り当てられ、「個人番号」及び「カード番号」の項目Ｃ３はランク３に割り当てられている。
また、帳票閲覧画面５４では、各項目Ｃのランクが判別可能な態様で電子帳票Ｆが表示されている。ここでは、各項目Ｃ及び対応する登録情報Ｄの表示領域の色をランクごとに異ならせてある。なお、表示の態様は、ランクが判別可能であればこれに限られず、例えば表示領域の枠（縁）の色をランクごとに変えたり、ランクを表す文字や図形などを表示したりしてもよい。
【００５３】
図１４の電子帳票Ｆでは、ランク０の項目Ｃ０に対応する登録情報Ｄ０は、初期状態において表示制限がかけられずに表示されている。一方、ランク１以上の項目Ｃ１〜Ｃ３に対応する登録情報Ｄ１〜Ｄ３については、表示制限がかけられて内容が判別できないようになっている。すなわち、図１４の例では、登録情報Ｄの内容に変えて、記号「＊＊＊」が表示されている。この表示制限は、人事情報管理サーバ１の記憶部１３に記憶されている初期設定テーブル１３ｄ及び表示制限設定テーブル１３ｅに基づいてなされている。
【００５４】
図１５は、初期設定テーブル１３ｄ及び表示制限設定テーブル１３ｅの内容例を示す図である。
図１５（ａ）の初期設定テーブル１３ｄは、第２のログイン方法で人事情報管理システムへのログインがなされた場合における電子帳票Ｆの各項目の表示制限設定の初期設定を表している。初期設定テーブル１３ｄは、電子帳票Ｆの項目Ｃごとに、項目コード、帳票コード、項目名及びランクが設定されたテーブルデータである。
図１５（ｂ）の表示制限設定テーブル１３ｅは、第２のログイン方法での人事情報管理システムへのログインに用いられている専用アドレス（ここでは、「ｕｓｅｒ０１」）に対する、電子帳票Ｆの各項目Ｃの現在の表示制限設定を表している。表示制限設定テーブル１３ｅは、初期設定テーブル１３ｄと同様の項目Ｃに係る設定内容が、ログインに用いられているアカウントごとに記憶されているテーブルデータである。表示制限設定テーブル１３ｅにおける「ランク」は、後述する解除操作に応じて変更可能とされている。
【００５５】
例えば、専用アカウント「ｕｓｅｒ０１」で第２のログイン方法によりログインがなされて、図１４の帳票閲覧画面５４が最初に表示される場合には、表示制限設定テーブル１３ｅが、初期設定テーブル１３ｄの内容で初期化され（初期設定テーブル１３ｄの内容がコピーされ）、初期化された表示制限設定テーブル１３ｅに基づいて表示制限がなされた上で電子帳票Ｆが表示される（図１４）。
【００５６】
図１４の帳票閲覧画面５４の電子帳票Ｆにおいて、ランク１以上の項目Ｃ１〜Ｃ３に対応する登録情報については、ランクごとに異なる所定の解除操作を行うことで表示制限を解除することができる。各ランクの項目Ｃの表示制限を解除するために必要な解除操作は、人事情報管理サーバ１の記憶部１３に記憶されている解除区分テーブル１３ｆにおいて設定されている。
【００５７】
図１６は、解除区分テーブル１３ｆの内容例を示す図である。
解除区分テーブル１３ｆでは、電子帳票Ｆの項目Ｃのランクに対応して、表示制限の解除に必要な解除操作の内容を示す解除区分が設定されている。具体的には、ランク１の項目Ｃ１に対応する解除区分は、「１：社員番号」であり、ランク２の項目Ｃ２に対応する解除区分は、「２：申請時発行パスワード」であり、ランク３の項目Ｃ３に対応する解除区分は、「３：ワンタイムパスワード」である。すなわち、ランク１の項目Ｃ１について表示制限を解除するためには、利用申請時にユーザが入力した社員番号を入力する解除操作が必要であり、ランク２の項目Ｃ２について表示制限を解除するためには、利用申請時に発行された申請時発行パスワードを入力する解除操作が必要であり、ランク３の項目Ｃ３について表示制限を解除するためには、直近で発行されているワンタイムパスワードを入力する解除操作が必要である。このように、表示制限の解除に必要な解除操作は、ユーザにとって、低位のランクほど知得が容易なものが設定されている。すなわち、表示制限の解除条件は、低位のランクほど充足容易性が高いものとなっている。
【００５８】
図１７は、ランク１の項目Ｃ１についての解除操作を説明する図である。
帳票閲覧画面５４において、例えば、表示制限がなされているランク１の「家族」の項目Ｃ１、又は「家族」に対応する登録情報Ｄ１の表示エリアを選択することで当該登録情報Ｄ１を指定する入力操作（すなわち、表示制限の解除を求める入力操作）がなされると、解除区分テーブル１３ｆにおけるランク１に対応する解除区分に応じて、解除操作の入力のための所定の表示が行われる。ここでは、ランク１に対応する解除区分が「１：社員番号」であるため、図１７のように、社員番号を入力する解除操作を促す解除操作ウィンドウ５４ａの表示がなされる。この解除操作ウィンドウ５４ａを表示する動作は、解除操作の入力をユーザに促す報知に対応する。
【００５９】
解除操作ウィンドウ５４ａでは、社員番号を入力するためのテキストボックスＡ１０と、解除操作ウィンドウ５４ａの表示を取りやめるための戻るボタンＢ１３と、テキストボックスＡ１０における入力内容を確定させる決定ボタンＢ１４とが表示されている。
【００６０】
解除操作ウィンドウ５４ａのテキストボックスＡ１０に、利用申請画面５２において入力した社員番号が入力された状態で決定ボタンＢ１４を選択する入力操作がなされると、「家族」の項目Ｃ１の表示制限が解除される。詳しくは、まず、図１８に示されるように、表示制限設定テーブル１３ｅにおける項目名「家族」のランクが、ランク１からランク０に変更される。そして、変更後の表示制限設定テーブル１３ｅに基づいて、帳票閲覧画面５４における電子帳票Ｆの表示が更新される。すなわち、図１９に示されるように、「家族」の項目Ｃにおいて登録情報Ｄの内容が閲覧可能になるとともに、「家族」の項目Ｃ及び登録情報Ｄの表示エリアの色が、ランク０に対応する色に変更される。
【００６１】
このように、表示制限がなされている登録情報Ｄを指定する入力操作に応じて、登録情報Ｄに係る項目Ｃに対応付けられて予め定められている解除操作の入力をユーザに促す解除操作ウィンドウ５４ａの表示がなされ、当該表示に応じて行われた入力操作が、予め定められている解除操作と一致した場合に、表示制限を解除する解除条件が満たされていると判別される。そして、解除条件が満たされていると判別されると、表示制限設定テーブル１３ｅにおける表示制限設定が変更されて、変更後の表示制限設定に基づいて電子帳票Ｆの表示が更新されることで、指定された項目Ｃについての表示制限が解除される。
【００６２】
なお、この段階では、初期設定で「家族」と同じくランク１に設定されていた「懲罰」の項目Ｃについて、登録情報Ｄの表示制限は解除されないが、この後、当該「懲罰」の登録情報Ｄを指定する入力操作がなされた場合には、解除操作ウィンドウ５４ａが表示されることなく表示制限が解除される。既に「家族」の項目Ｃについてランク１の表示制限を解除する解除操作がなされているためである。この場合、解除操作の入力の省略に係る表示が併せて行われてもよい。以上により、解除操作の省略でユーザの手間を減らしながらも、入力操作によって指定されていない項目の登録情報が不必要に表示されてしまうことを防ぐことができる。
ただし、ユーザの手間を減らすことに重点をおきたい場合には、これに代えて、「家族」の項目の表示制限が解除された場合に、併せて同一ランクの他のすべての項目（ここでは「懲罰」）について自動的に表示制限が解除されるようにしてもよい。
【００６３】
図１７〜図１９では、ランク１の項目Ｃ１の表示制限を解除する例を用いて説明したが、ランク２及びランク３の項目Ｃ２，Ｃ３に対する表示制限の解除も同様の処理により行われる。
【００６４】
具体的には、ランク２の項目Ｃ２に係る登録情報Ｄ２を指定する入力操作がなされた場合には、ランク２に対応する解除区分が「２：申請時発行パスワード」であるため、図２０に示されるように、申請時発行パスワードの入力を促す解除操作ウィンドウ５４ｂが表示される。解除操作ウィンドウ５４ｂのテキストボックスＡ１１において、利用申請の承認時に送信された電子メール（図１１）に記載されている申請時発行パスワードが入力された状態で決定ボタンＢ１４を選択する入力操作がなされると（すなわち、所定の解除操作がなされると）、解除条件が満たされていると判別されて、表示制限が解除される。
【００６５】
また、ランク３の項目Ｃ３に係る登録情報Ｄ３を指定する入力操作がなされた場合には、ランク３に対応する解除区分が「３：ワンタイムパスワード」であるため、図２１に示されるように、ワンタイムパスワードの入力を促す解除操作ウィンドウ５４ｃが表示される。解除操作ウィンドウ５４ｃのテキストボックスＡ１２において、直近で発行されているワンタイムパスワードが入力された状態で決定ボタンＢ１４を選択する入力操作がなされると（すなわち、所定の解除操作がなされると）、解除条件が満たされていると判別されて、表示制限が解除される。ワンタイムパスワードの発行方法は、特には限られないが、例えば、ランク３の項目Ｃ３に係る登録情報Ｄ３を指定する入力操作に応じて、人事情報管理システム上で自動生成されたワンタイムパスワードを電子メールで送信する方法とすることができる。図２２に、当該電子メールの内容例を示す。
なお、ワンタイムパスワードの発行は、ワンタイムパスワードの発行申請に応じて、管理者が発行を承認することでメール送信される方式で行われてもよい。
【００６６】
＜人事情報管理システムの管理者側の画面表示＞
次に、人事情報管理システムの管理者側の画面表示について説明する。
図２３は、人事情報管理システムの管理者が人事情報管理システムへの第１のログイン方法でのログインを行うためのログイン画面５５を示す図である。ログイン画面５５では、ログインに使用する人事アカウント１ａのＩＤ又はメールアドレスを入力するテキストボックスＡ１３と、パスワードを入力するテキストボックスＡ１４と、ログインボタンＢ１５とが表示される。テキストボックスＡ１３にＩＤ又はメールアドレスが入力され、テキストボックスＡ１４にパスワードが入力され、この状態でログインボタンＢ１５を選択する入力操作が行われると、入力された認証情報が人事情報管理サーバ１に送信されて、アカウントＤＢ１３ｂに記憶された認証情報と照合される。入力された認証情報が、登録されているいずれかの人事アカウント１ａの認証情報と一致した場合（認証情報が適正であると判別された場合）には、人事情報管理サーバ１のＣＰＵ１１により、当該人事アカウント１ａでの業務情報管理システムへのログイン処理が行われてログインセッションが開始される。
【００６７】
図２４は、第１のログイン方法で人事情報管理システムにログインした場合の人事情報管理メニュー画面５６を示す図である。人事情報管理メニュー画面５６では、図１３の人事情報管理メニュー画面５３と同様のメニューボタンＢ９と、業務情報管理システムユーザからの人事情報管理システムの利用申請に係る申請状況一覧画面５７（図２５）を表示させるための利用申請表示ボタンＢ１６と、人事情報管理システムからログアウトするためのログアウトボタンＢ１７が表示されている。利用申請表示ボタンＢ１６は、人事情報管理システムの利用申請がなされていることをユーザに報知する機能も兼ねており、人事情報管理システムの利用申請がなされた場合にのみ表示される。あるいは、利用申請表示ボタンＢ１６は、常時表示されて、人事情報管理システムの利用申請がなされた場合に強調表示がなされてもよい。
【００６８】
図２５は、申請状況一覧画面５７を示す図である。申請状況一覧画面５７では、現在申請されている利用申請ごとに、「申請Ｎｏ．」、「ログインアカウント」、「利用目的区分」、「利用日時（開始及び終了）」、「ステータス」などが表示される。このうち「ステータス」は、人事情報管理システムの管理者による申請の承認状況を示している。これらの各利用申請のうち、承認又は却下の処分を行う対象の行を選択する入力操作を行うと、個別の利用申請を承認し又は却下するための承認画面５８（図２６）が表示される。また、申請状況一覧画面５７では、人事情報管理メニュー画面５６に戻るためのボタンＢ１８と、人事情報管理システムからログアウトするためのログアウトボタンＢ１９が表示されている。申請状況一覧画面５７においては、現在まで行われた全ての利用申請が一覧表示されてもよいし、利用日時（終了）が過ぎたもの、承認又は却下の処分が行われたものは一覧表示から外れるようにしてもよい。これらは管理者によって適宜設定が可能であるものとする。
【００６９】
図２６は、承認画面５８を示す図である。承認画面５８では、図９の利用申請画面５２における入力内容と、当該利用申請を承認するための承認ボタンＢ２０と、当該利用申請を却下するための却下ボタンＢ２１と、申請状況一覧画面５７に戻るための戻るボタンＢ２２と、が表示されている。ここで、承認ボタンＢ２０を選択する入力操作がなされると、利用申請を承認する処理がなされるとともに、申請した業務情報管理システムユーザに図１１の電子メールが送信される。また、却下ボタンＢ２１を選択する入力操作がなされると、利用申請は承認されず、業務情報管理システムユーザの表示部３５の申請状況一覧画面５１におけるステータスの項目が「却下」の表示に更新される。
【００７０】
＜人事情報管理システムにおける処理の制御手順＞
次に、人事情報管理システムにおける、電子帳票表示処理を含むシステム基本処理の制御手順について説明する。
図２７は、システム基本処理のＣＰＵ１１による制御手順を示すフローチャートである。
このシステム基本処理は、業務情報管理システムを経由した第２のログイン方法での人事情報管理システムへのログインがなされた場合に実行される。
【００７１】
システム基本処理が開始されると、ＣＰＵ１１は、端末装置３の表示部３５に初期画面として図８の状態の申請状況一覧画面５１を表示させ（ステップＳ１０１）、申請ボタンＢ５に対する入力操作に応じて図９の利用申請画面５２を表示させて、人事情報管理システムの利用申請を受け付ける（ステップＳ１０２）。
【００７２】
ＣＰＵ１１は、ステップＳ１０２において受け付けられた利用申請が、管理者により承認されたか否かを判別する（ステップＳ１０３）。利用申請が却下されたと判別された場合には（ステップＳ１０３で“ＮＯ”）、ＣＰＵ１１は、処理をステップＳ１０１に戻す。
【００７３】
利用申請が承認されたと判別された場合には（ステップＳ１０３で“ＹＥＳ”）、ＣＰＵ１１は、図１２のように申請状況一覧画面を更新し、承認された利用申請の行を選択する入力操作に応じて図１３の人事情報管理メニュー画面５３を表示部３５に表示させる（ステップＳ１０４）。
【００７４】
ＣＰＵ１１は、人事情報管理メニュー画面５３においていずれかのメニューボタンＢ９が選択されたか否かを判別し（ステップＳ１０５）、メニューボタンＢ９が選択されていないと判別された場合には（ステップＳ１０５で“ＮＯ”）、再度ステップＳ１０５の処理を実行する。メニューボタンＢ９が選択され、電子帳票Ｆの表示要求がなされたと判別された場合には（ステップＳ１０５で“ＹＥＳ”）、ＣＰＵ１１は、後述する電子帳票表示処理を実行する（ステップＳ１０６）。
【００７５】
ＣＰＵ１１は、電子帳票表示処理が終了すると、ログアウト操作がなされたか否かを判別し（ステップＳ１０７）、ログアウト操作がなされていないと判別された場合には（ステップＳ１０７で“ＮＯ”）、処理をステップＳ１０５に戻し、ログアウト操作がなされたと判別された場合には（ステップＳ１０７で“ＹＥＳ”）、システム基本処理を終了させる。なお、ログアウト操作の判別結果に基づいてシステム基本処理を終了させる処理は、システム基本処理の実行中の他の任意のタイミングで行われてもよい。
【００７６】
図２８は、電子帳票表示処理のＣＰＵ１１による制御手順を示すフローチャートである。
電子帳票表示処理が呼び出されると、ＣＰＵ１１は、現在ログインしている専用アカウント（「ｕｓｅｒ０１」）に対応する表示制限設定テーブル１３ｅの内容を、初期設定テーブル１３ｄの内容に初期化する（ステップＳ２０１）。
【００７７】
ＣＰＵ１１は、表示制限設定テーブル１３ｅに応じた表示制限をかけて帳票閲覧画面５４を表示部３５に表示させる（ステップＳ２０２：表示ステップ）。
【００７８】
ＣＰＵ１１は、帳票閲覧画面５４の表示を終了させる入力操作（戻るボタンＢ１２を選択する入力操作）がなされたか否かを判別し（ステップＳ２０３）、当該入力操作がなされていないと判別された場合には（ステップＳ２０３で“ＮＯ”）、表示制限がなされている登録情報Ｄを指定する入力操作がなされたか否かを判別する（ステップＳ２０４）。当該入力操作がなされていないと判別された場合には（ステップＳ２０４で“ＮＯ”）、ＣＰＵ１１は、処理をステップＳ２０３に戻す。
【００７９】
表示制限がなされている登録情報Ｄを指定する入力操作がなされたと判別された場合には（ステップＳ２０４で“ＹＥＳ”）、ＣＰＵ１１は、表示制限の解除要求の対象となっている登録情報Ｄの項目Ｃと同一ランクの他の項目Ｃであって、既に表示制限が解除されている項目Ｃがあるか否かを判別する（ステップＳ２０５）。
【００８０】
既に表示制限が解除されている同一ランクの項目Ｃがないと判別された場合には（ステップＳ２０５で“ＮＯ”）、ＣＰＵ１１は、解除区分テーブル１３ｆを参照し、ランクに応じて解除操作を促す解除操作ウィンドウ５４ａ，５４ｂ，５４ｃのいずれかを表示させ、解除操作の入力を受け付ける（ステップＳ２０６）。
【００８１】
ＣＰＵ１１は、入力された解除操作が解除条件を満たすか否かを判別する（ステップＳ２０７：判別ステップ）。すなわち、ＣＰＵ１１は、表示制限の解除要求の対象の項目Ｃがランク１である場合には、入力された社員コードが業務情報管理システムユーザの社員コードと一致した場合に解除条件を満たすと判別し、上記対象の項目Ｃがランク２である場合には、入力された申請時発行パスワードが申請承認時の電子メールに記載されている申請時発行パスワードと一致した場合に解除条件を満たすと判別し、上記対象の項目Ｃがランク３である場合には、入力されたワンタイムパスワードが予め発行されているワンタイムパスワードと一致した場合に解除条件を満たすと判別する。入力された解除操作が解除条件を満たさないと判別された場合には（ステップＳ２０７で“ＮＯ”）、ＣＰＵ１１は、処理をステップＳ２０３に戻す。
【００８２】
入力された解除操作が解除条件を満たすと判別された場合（ステップＳ２０７で“ＹＥＳ”）、又は、ステップＳ２０５において、既に表示制限が解除されている同一ランクの他の項目Ｃがあると判別された場合には（ステップＳ２０５で“ＹＥＳ”）、ＣＰＵ１１は、表示制限設定テーブル１３ｅにおけるランクの変更を行う（ステップＳ２０８：設定変更ステップ）。すなわち、ＣＰＵ１１は、表示制限設定テーブル１３ｅにおいて、表示制限の解除要求の対象となっている項目Ｃのランクを、表示制限がなされないランク０に変更する。
【００８３】
ステップＳ２０８の処理が終了すると、ＣＰＵ１１は、処理をステップＳ２０２に移行させて、更新された表示制限設定テーブル１３ｅに基づいて、表示制限の解除要求の対象となっている項目Ｃ及び対応する登録情報Ｄの表示制限が解除された状態となるように電子帳票Ｆの表示を更新する。
【００８４】
ステップＳ２０３において、帳票閲覧画面５４の表示を終了させる入力操作がなされたと判別された場合には（ステップＳ２０３で“ＹＥＳ”）、ＣＰＵ１１は、電子帳票表示処理を終了させて処理をシステム基本処理に戻す。
【００８５】
＜変形例１＞
次に、上記実施形態の変形例１について説明する。
本変形例は、表示制限の解除のために、上述の解除操作に代えて、解除要求の対象となっている項目Ｃのランクに応じて予め定められた管理者による事前承認が必要である点で上記実施形態と異なる。すなわち、表示制限がなされている登録情報Ｄを指定する入力操作がなされた場合に、表示制限の解除の対象となっている項目Ｃのランクに応じた管理者による承認がなされているか否かが判別され、承認がなされている場合に、解除条件が満たされていると判別されて、当該項目Ｃに対応する登録情報Ｄの表示制限が解除される。
表示制限の解除の承認を受けるための申請方法、及び当該申請に対する承認方法は、特には限られないが、例えば、図９の利用申請画面５２を用いた人事情報管理システムの利用申請及び承認と同様の方法を用いることができる。ここで、ランク１〜３の表示制限の解除をそれぞれ承認可能な管理者は、ランク１〜３の機密性に応じて適宜設定することができる。例えば、ランクが高いほど高レベルの承認権限を有した管理者を設定することが望ましい。
本変形例では、上記実施形態で説明した解除区分テーブル１３ｆに基づく解除操作の入力は省略することができるが、解除操作の入力を併せて求めることとしてもよい。
【００８６】
＜変形例２＞
次に、上記実施形態の変形例２について説明する。
本変形例は、解除操作ウィンドウ５４ａ，５４ｂ，５４ｃにおいて入力された解除操作が、予め定められている解除操作と異なる場合に、解除要求の対象となっている項目Ｃのランクが、そのときのランクよりも高いランク（例えば１ランク高いランク）に変更される点で上記実施形態と異なる。
【００８７】
ここで、解除操作が、予め定められている解除操作と異なる場合とは、例えば上記実施形態におけるランク１の解除区分については、入力された社員コードが、入力者の社員コードとは異なる場合であり、ランク２の解除区分については、入力された申請時発行パスワードが、申請承認時の電子メールに記載されているものと異なる場合であり、ランク３の解除区分については、入力されたワンタイムパスワードが、発行済みのワンタイムパスワードと異なる場合である。
【００８８】
このように、規定のものと異なる不適切な解除操作がなされると、表示制限設定テーブル１３ｅにおいて当該項目Ｃに対応するランクがより高いランクに変更される。また、解除操作が規定のものと異なることを示すエラー表示がなされた上で解除操作ウィンドウ５４ａ，５４ｂ，５４ｃが閉じられる。以降、同一の項目Ｃについて表示制限がなされている登録情報Ｄを指定する入力操作がなされた場合には、変更後のランクに応じた解除操作の入力を促す解除操作ウィンドウ５４ａ，５４ｂ，５４ｃが表示され、表示制限を解除するためには、変更後のランクに応じた解除操作が必要となる。
なお、不適切な解除操作が連続して所定回数なされた場合に、ランクが変更されるようにしてもよい。また、ランクの変更対象は、表示制限の解除要求がなされた項目Ｃのみに限られず、例えばすべての項目Ｃをより高いランクに変更してもよい。また、解除条件が設定されている最高位のランク（ここでは、ランク３）の項目Ｃについて不適切な解除操作な操作がなされた場合には、ランクをより高位のランク（例えば、ランク４）に変更するとともに、以降、当該項目については表示制限の解除ができないようにしてもよい。
【００８９】
＜変形例３＞
次に、上記実施形態の変形例３について説明する。
本変形例は、ユーザの信頼度に応じて、各項目Ｃのランクが調整される点で上記実施形態と異なる。
【００９０】
本変形例では、業務情報管理システムユーザが第２のログイン方法で人事情報管理システムにログインし、人事情報管理システムの利用申請をした場合において、承認者により、当該業務情報管理システムユーザの信頼度に係る評価が行われる。この評価の具体的な方法は、特には限られないが、例えば信頼度の高さを示す所定の複数の信頼度ランクのうちいずれかのランクを管理者が選択する方法を用いることができる。そして、信頼度の評価結果に係る情報（信頼度情報）に基づいて、表示制限設定テーブル１３ｅにおける各項目Ｃのランクが、信頼度が低いほどランクが高くなるように調整される。ランクの調整幅は、各項目Ｃについて同一とされる（例えば、すべての項目Ｃのランクが１ランク高くなるように調整される）。
表示制限設定テーブル１３ｅにおけるランクの調整は、電子帳票表示処理（図２８）が開始された場合に、表示制限設定テーブルの内容を初期化するステップＳ２０１の処理の後で行われてもよいし、信頼度の評価が行われた後の他の任意のタイミングで行われてもよい。
なお、解除条件が設定されている最高位のランク（ここでは、ランク３）の項目Ｃについてランクをより高位のランク（例えば、ランク４）に変更する場合には、以降、当該項目については表示制限の解除ができないようにしてもよい。
【００９１】
以上のように、本実施形態の情報処理システム１００における人事情報管理サーバ１は、ＣＰＵ１１を備え、ＣＰＵ１１は、所定の複数の項目Ｃ及び当該複数の項目Ｃの各々に対応する登録情報Ｄを含む電子文書としての電子帳票Ｆを、当該複数の項目Ｃの各々についての表示制限設定に従って登録情報Ｄに表示制限をかけて表示させ（表示制御手段）、表示制限がかけられているいずれかの登録情報Ｄの表示を要求する所定の入力操作がなされた場合に、登録情報Ｄの項目Ｃに対応付けられて予め定められている表示制限の解除条件が満たされているか否かを判別し（判別手段）、当該項目Ｃについての解除条件が満たされていると判別された場合に、当該項目Ｃについての表示制限が解除されるように表示制限設定を変更し（設定変更手段）、表示制限設定が変更された場合に、当該変更された表示制限設定に基づいて電子帳票Ｆの表示を更新する（表示制御手段）。
これにより、電子帳票Ｆにおける複数の項目Ｃのうち、機密性の高い登録情報Ｄに係る項目Ｃについては表示制限をかけることで、登録情報のセキュリティを確保することができる。また、ユーザが閲覧を求める特定の項目Ｃについてのみ、解除条件の充足に応じて表示制限を解除することができるため、登録情報Ｄのセキュリティを確保しつつ、ユーザに対して必要な項目Ｃについての登録情報Ｄを表示させる柔軟な制御を行うことができる。
【００９２】
また、複数の項目Ｃの各々は、複数のランクのいずれかに割り当てられ、複数の項目Ｃの各々に対応する解除条件は、当該項目Ｃが割り当てられているランクごとに異なる。これにより、ランクの機密性に応じた適切な解除条件を設定することで、登録情報Ｄのセキュリティをより適切に確保することができる。また、解除条件を個別の項目Ｃごとに異ならせる場合と比較して、解除条件の管理負荷を軽減することができる。
【００９３】
また、ＣＰＵ１１は、項目Ｃのランクが判別可能な態様で電子帳票Ｆを表示させる（表示制御手段）。これにより、当該項目Ｃの解除条件が同一である項目Ｃをユーザに認識させ易くすることができる。
【００９４】
また、ＣＰＵ１１は、表示制限がかけられているいずれかの登録情報Ｄの表示を要求する所定の入力操作がなされた場合に、登録情報Ｄの項目Ｃに対応付けられて予め定められている解除操作の入力をユーザに促す報知を行わせ（報知制御手段）、報知に応じて行われた入力操作が、予め定められている解除操作と一致した場合に、当該項目Ｃについての解除条件が満たされていると判別する（判別手段）。これにより、ユーザが項目Ｃの解除条件に係る所定の解除操作を行うことができた場合にのみ当該項目Ｃの登録情報Ｄの表示制限を解除させることができるため、登録情報Ｄのセキュリティをより確実に確保することができる。
【００９５】
また、ＣＰＵ１１は、一の項目Ｃについての解除条件が満たされていると判別されている場合において、当該一の項目Ｃと同一のランクに割り当てられている他の項目Ｃの登録情報Ｄの表示を要求する所定の入力操作がなされた場合には、判別手段としてのＣＰＵ１１による判別結果によらずに、当該他の項目Ｃについての表示制限が解除されるように表示制限設定を変更する（設定変更手段）。これにより、登録情報Ｄのセキュリティが確保される範囲内で、ユーザの操作負荷を軽減させることができる。
【００９６】
また、ＣＰＵ１１は、上記他の項目Ｃの登録情報Ｄの表示を要求する所定の入力操作がなされた場合に、解除操作の入力の省略に係る報知を行わせる（報知制御手段）。これにより、解除操作の入力を行わずに表示制限が解除されることをユーザに認識させることができる。
【００９７】
また、変形例２に係る人事情報管理サーバ１では、複数のランクには、低位のランクほど充足容易性が高い解除条件が対応付けられて定められており、ＣＰＵ１１は、報知に応じて行われた入力操作が、予め定められている解除操作と異なる場合に、項目Ｃが割り当てられているランクを、当該ランクより高いランクに変更する（ランク調整手段）。これにより、解除操作の入力に失敗した場合に、登録情報Ｄへのアクセス制限をより強固にすることができる。よって、解除操作を知得していないユーザが表示制限の解除を不適正に試みている可能性がある場合に、登録情報Ｄのセキュリティを確実に確保することができる。
【００９８】
また、変形例３におけるＣＰＵ１１は、ユーザの信頼度に係る信頼度情報を取得し（信頼度情報取得手段）、取得された信頼度情報に基づいて、複数の項目Ｃの各々が割り当てられているランクを、信頼度が低いほどランクが高くなるように調整する（ランク調整手段）。これにより、信頼度が低いユーザに対しては、機密性の高い登録情報Ｄの表示制限を解除しにくい設定とすることができるため、登録情報Ｄのセキュリティをより適切に確保することができる。
【００９９】
また、上記実施形態の電子帳票Ｆの表示方法は、所定の複数の項目Ｃ及び当該複数の項目Ｃの各々に対応する登録情報Ｄを含む電子文書としての電子帳票Ｆを、当該複数の項目Ｃの各々についての表示制限設定に従って登録情報Ｄに表示制限をかけて表示させる表示ステップ、表示制限がかけられているいずれかの登録情報Ｄの表示を要求する所定の入力操作がなされた場合に、登録情報Ｄの項目Ｃに対応付けられて予め定められている表示制限の解除条件が満たされているか否かを判別する判別ステップ、判別ステップにおいて項目Ｃについての解除条件が満たされていると判別された場合に、項目Ｃについての表示制限が解除されるように表示制限設定を変更する表示制限設定ステップ、を含み、表示ステップでは、表示制限設定ステップにおいて表示制限設定が変更された場合に、当該変更された表示制限設定に基づいて電子帳票Ｆの表示を更新する。このような方法によれば、ユーザが閲覧を求める特定の項目Ｃについてのみ、解除条件の充足に応じて表示制限を解除することができるため、登録情報Ｄのセキュリティを確保しつつ、ユーザに対して必要な項目Ｃについての登録情報Ｄを表示させる柔軟な制御を行うことができる。
【０１００】
また、上記実施形態のプログラムは、人事情報管理サーバ１のＣＰＵ１１（コンピュータ）を、所定の複数の項目Ｃ及び当該複数の項目Ｃの各々に対応する登録情報Ｄを含む電子文書としての電子帳票Ｆを、当該複数の項目Ｃの各々についての表示制限設定に従って登録情報Ｄに表示制限をかけて表示させる表示制御手段、表示制限がかけられているいずれかの登録情報Ｄの表示を要求する所定の入力操作がなされた場合に、登録情報Ｄの項目Ｃに対応付けられて予め定められている表示制限の解除条件が満たされているか否かを判別する判別手段、判別手段により項目Ｃについての解除条件が満たされていると判別された場合に、項目Ｃについての表示制限が解除されるように表示制限設定を変更する設定変更手段、として機能させ、表示制御手段は、設定変更手段により表示制限設定が変更された場合に、当該変更された表示制限設定に基づいて電子帳票Ｆの表示を更新する。このようなプログラムによれば、ユーザが閲覧を求める特定の項目Ｃについてのみ、解除条件の充足に応じて表示制限を解除することができるため、登録情報Ｄのセキュリティを確保しつつ、ユーザに対して必要な項目Ｃについての登録情報Ｄを表示させる柔軟な制御を行うことができる。
【０１０１】
以上の説明では、本発明に係るプログラムのコンピュータ読み取り可能な媒体として記憶部１３のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【０１０２】
なお、上記実施の形態における記述は、本発明に係る情報処理装置、電子帳票の表示方法及びプログラムの一例であり、これに限定されるものではない。
【０１０３】
例えば、上記実施形態及び各変形例では、情報処理装置として人事情報管理システムを提供する人事情報管理サーバ１を例に挙げたが、これに限られず、電子帳票Ｆを表示させる任意のシステムを提供する情報処理装置に本発明を適用することができる。
【０１０４】
また、上記実施形態及び各変形例では、電子文書として電子帳票を例に挙げて説明したが、これに代えて、電子文書は、契約書、議事録及びデータ資料など、表示制限の対象となる項目及び当該項目に対応する登録情報を含む任意の種別の文書とすることができる。
【０１０５】
また、上記実施形態及び各変形例では、解除操作として、社員番号、申請時発行パスワード及びワンタイムパスワードを入力する操作を例に挙げて説明したが、これに限られず、解除操作は、予めその内容が登録されて、実際の入力操作と照合可能なものであれば任意の操作とすることができる。例えば、所定の質問（例えば、「親の名前は？」等）に対する回答として予めユーザにより登録された登録キーワードの入力、暗証番号の入力、図形の描画などであってもよい。
【０１０６】
また、上記実施形態及び各変形例では、表示制限を解除する項目のランクに対応する一の解除操作を行うことで表示制限を解除可能な例を用いて説明したが、これに代えて、表示制限を解除する項目のランク、及び当該よりも高位のランクに対応する全ての解除操作が必要とされることとしてもよい。例えば、ランク３の項目の表示制限を解除するために、ランク１に対応する社員コード、ランク２に対応する表示制限解除パスワード、ランク３に対応するワンタイムパスワードの入力が全て必要とされることとしてもよい。
【０１０７】
また、上記実施形態及び各変形例では、表示制限がなされている登録情報Ｄの表示を要求する所定の入力操作として、項目Ｃ又は当該項目Ｃに対応する登録情報Ｄの表示領域を選択する入力操作を例に挙げて説明したが、これに限られず、例えば電子帳票Ｆの内部又は外部に、表示制限の解除に係る処理を開始させるための各項目Ｃに対応する操作ボタンを表示させ、当該操作ボタンを選択する入力操作を上記所定の入力操作としてもよい。
【０１０８】
また、上記実施形態及び各変形例では、電子帳票Ｆにおける項目Ｃのランクごとに解除条件が異なる例を用いて説明したが、これに限られず、項目Ｃごとに解除条件が別個に定められていてもよい。
【０１０９】
また、項目Ｃのランクを、ランク０からランク３までの４段階とする例を用いて説明したが、ランクの数はこれに限られず、３段階以下、又は５段階以上のランクを設けてもよい。
【０１１０】
また、上記実施形態及び各変形例では、制限される動作として項目に係る登録情報の表示動作を例に挙げて説明したが、これに限られず、登録情報の編集の動作等、登録情報を対象とした任意の動作を制限の対象としてもよい。
【０１１１】
また、上記実施形態における情報処理システム１００の各構成要素の細部構成及び細部動作に関しては、本発明の趣旨を逸脱することのない範囲で適宜変更可能であることは勿論である。
【０１１２】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の複数の項目及び当該複数の項目の各々に対応する登録情報を含む電子文書を、当該複数の項目の各々についての表示制限設定に従って登録情報に表示制限をかけて表示させる表示制御手段と、
前記表示制限がかけられているいずれかの登録情報の表示を要求する所定の入力操作がなされた場合に、前記登録情報の項目に対応付けられて予め定められている表示制限の解除条件が満たされているか否かを判別する判別手段と、
前記判別手段により前記項目についての前記解除条件が満たされていると判別された場合に、前記項目についての前記表示制限が解除されるように前記表示制限設定を変更する設定変更手段と、
を備え、
前記表示制御手段は、前記設定変更手段により前記表示制限設定が変更された場合に、当該変更された表示制限設定に基づいて前記電子文書の表示を更新することを特徴とする情報処理装置。
＜請求項２＞
前記複数の項目の各々は、複数のランクのいずれかに割り当てられ、
前記複数の項目の各々に対応する前記解除条件は、当該項目が割り当てられているランクごとに異なる
ことを特徴とする請求項１に記載の情報処理装置。
＜請求項３＞
前記表示制御手段は、前記項目のランクが判別可能な態様で前記電子文書を表示させることを特徴とする請求項２に記載の情報処理装置。
＜請求項４＞
前記表示制限がかけられているいずれかの登録情報の表示を要求する所定の入力操作がなされた場合に、前記登録情報の項目に対応付けられて予め定められている解除操作の入力をユーザに促す報知を行わせる報知制御手段を備え、
前記判別手段は、前記報知に応じて行われた入力操作が、前記予め定められている解除操作と一致した場合に、前記項目についての前記解除条件が満たされていると判別することを特徴とする請求項１から３のいずれか一項に記載の情報処理装置。
＜請求項５＞
前記表示制限がかけられているいずれかの登録情報の表示を要求する所定の入力操作がなされた場合に、前記登録情報の項目に対応付けられて予め定められている解除操作の入力をユーザに促す報知を行わせる報知制御手段を備え、
前記判別手段は、前記報知に応じて行われた入力操作が、前記予め定められている解除操作と一致した場合に、前記項目についての前記解除条件が満たされていると判別し、
前記設定変更手段は、一の前記項目についての前記解除条件が満たされていると判別されている場合において、当該一の項目と同一のランクに割り当てられている他の項目の登録情報の表示を要求する所定の入力操作がなされた場合には、前記判別手段による判別結果によらずに、前記他の項目についての表示制限が解除されるように前記表示制限設定を変更することを特徴とする請求項２又は３に記載の情報処理装置。
＜請求項６＞
前記報知制御手段は、前記他の項目の登録情報の表示を要求する所定の入力操作がなされた場合に、前記解除操作の入力の省略に係る報知を行わせることを特徴とする請求項５に記載の情報処理装置。
＜請求項７＞
前記複数のランクには、低位のランクほど充足容易性が高い前記解除条件が対応付けられて定められており、
当該情報処理装置は、前記報知に応じて行われた入力操作が、前記予め定められている解除操作と異なる場合に、前記項目が割り当てられているランクを、当該ランクより高いランクに変更するランク調整手段を備えることを特徴とする請求項５又は６に記載の情報処理装置。
＜請求項８＞
前記複数のランクには、低位のランクほど充足容易性が高い前記解除条件が対応付けられて定められており、
当該情報処理装置は、
ユーザの信頼度に係る信頼度情報を取得する信頼度情報取得手段と、
前記信頼度情報取得手段により取得された前記信頼度情報に基づいて、前記複数の項目の各々が割り当てられているランクを、前記信頼度が低いほどランクが高くなるように調整するランク調整手段と、
を備えることを特徴とする請求項２，３，５又は６に記載の情報処理装置。
＜請求項９＞
所定の複数の項目及び当該複数の項目の各々に対応する登録情報を含む電子文書を、当該複数の項目の各々についての表示制限設定に従って登録情報に表示制限をかけて表示させる表示ステップ、
前記表示制限がかけられているいずれかの登録情報の表示を要求する所定の入力操作がなされた場合に、前記登録情報の項目に対応付けられて予め定められている表示制限の解除条件が満たされているか否かを判別する判別ステップ、
前記判別ステップにおいて前記項目についての前記解除条件が満たされていると判別された場合に、前記項目についての前記表示制限が解除されるように前記表示制限設定を変更する設定変更ステップ、
を含み、
前記表示ステップでは、前記設定変更ステップにおいて前記表示制限設定が変更された場合に、当該変更された表示制限設定に基づいて前記電子文書の表示を更新することを特徴とする電子文書の表示方法。
＜請求項１０＞
情報処理装置のコンピュータを、
所定の複数の項目及び当該複数の項目の各々に対応する登録情報を含む電子文書を、当該複数の項目の各々についての表示制限設定に従って登録情報に表示制限をかけて表示させる表示制御手段、
前記表示制限がかけられているいずれかの登録情報の表示を要求する所定の入力操作がなされた場合に、前記登録情報の項目に対応付けられて予め定められている表示制限の解除条件が満たされているか否かを判別する判別手段、
前記判別手段により前記項目についての前記解除条件が満たされていると判別された場合に、前記項目についての前記表示制限が解除されるように前記表示制限設定を変更する設定変更手段、
として機能させ、
前記表示制御手段は、前記設定変更手段により前記表示制限設定が変更された場合に、当該変更された表示制限設定に基づいて前記電子文書の表示を更新することを特徴とするプログラム。
【符号の説明】
【０１１３】
１  人事情報管理サーバ（情報処理装置）
２  業務情報管理サーバ
３  端末装置
４  通信ネットワーク
１１  ＣＰＵ（表示制御手段、判別手段、設定変更手段、報知制御手段、ランク調整手段、信頼度情報取得手段）
１３  記憶部
１３ａ  プログラム
１３ｂ  アカウントＤＢ
１３ｃ  人事情報ＤＢ
１３ｄ  初期設定テーブル
１３ｅ  表示制限設定テーブル
１３ｆ  解除区分テーブル
１４  操作部
１５  表示部
１６  通信部
４１  ログイン画面
４２  業務情報管理メニュー画面
５１  申請状況一覧画面
５２  利用申請画面
５３  人事情報管理メニュー画面
５４  帳票閲覧画面
５４ａ  解除操作ウィンドウ
５５  ログイン画面
５６  人事情報管理メニュー画面
５７  申請状況一覧画面
５８  承認画面
１００  情報処理システム
Ｃ  項目
Ｄ  登録情報
Ｆ  電子帳票（電子文書）
【図１】
2018205787.tif 000003
【図２】
2018205787.tif 000004
【図３】
2018205787.tif 000005
【図４】
2018205787.tif 000006
【図５】
2018205787.tif 000007
【図６】
2018205787.tif 000008
【図７】
2018205787.tif 000009
【図８】
2018205787.tif 000010
【図９】
2018205787.tif 000011
【図１０】
2018205787.tif 000012
【図１１】
2018205787.tif 000013
【図１２】
2018205787.tif 000014
【図１３】
2018205787.tif 000015
【図１４】
2018205787.tif 000016
【図１５】
2018205787.tif 000017
【図１６】
2018205787.tif 000018
【図１７】
2018205787.tif 000019
【図１８】
2018205787.tif 000020
【図１９】
2018205787.tif 000021
【図２０】
2018205787.tif 000022
【図２１】
2018205787.tif 000023
【図２２】
2018205787.tif 000024
【図２３】
2018205787.tif 000025
【図２４】
2018205787.tif 000026
【図２５】
2018205787.tif 000027
【図２６】
2018205787.tif 000028
【図２７】
2018205787.tif 000029
【図２８】
2018205787.tif 000030